(57)【特許請求の範囲】
【請求項１】
ベースと天板と、前面と一側面を覆うパネルとから構成された筺体内の前記ベース上に、同筺体の背面から他側面に対向するようにＬ字形の熱交換器を配置し、背面から他側面にかけた角隅部に前記ベースと前記天板を連結し、上部に把手部を一体形成した支柱を設け、
前記把手部は、前記支柱から前記筺体の他側面側へ突出して形成した手掛面と、前記手掛面の前面側から下方に延出して形成した第一ガイドリブと、前記手掛面の背面側から下方に延出して形成した第二ガイドリブとを備え、
前記第二ガイドリブは、前記支柱の背面側から突出して形成される背面突出部となることを特徴とする空気調和機の室外機。
【請求項２】
前記把手部は、前記手掛面の下方で前記第一ガイドリブおよび前記第二ガイドリブの内側が、前記支柱の他側面側の表面よりも本体側に向けた凹部に形成されることを特徴とする請求項１に記載の空気調和機の室外機。
【発明の詳細な説明】
【技術分野】
【０００１】
本発明は、空気調和機の室外機に設けられる把手に関するものである。
【背景技術】
【０００２】
図８は、従来例１の空気調和機の室外機８００を示した平面図と正面図と左側面図である。空気調和機の室外機８００の筺体内部は、図示しないがベース上に立設した仕切板によって左右に仕切られ、片側に機械室と、他側に熱交換室が形成されている。機械室には、圧縮機や四方弁、電装品箱等が配置され、熱交換室には、側面から背面にかけて角隅部が湾曲してＬ字形に形成された熱交換器と、熱交換器の前面側に送風機８０５とモータが配置されている。
【０００３】
室外機８００の筺体外部は、熱交換器に対向する背面側が開口され吸込口８０６となり、前面側と側面側と天面がそれぞれ板金で形成されたパネルで覆われている。送風機８０５に対向する前面には吹出口８０５ａが開口され、左側面側は複数の吸込口８０４を設けた左側面パネル８０３が設けられている。
【０００４】
送風機８０５をモータによって駆動すると、外気が吸込口８０４、８０６から熱交換室に吸い込まれ、熱交換器で冷媒と熱交換して昇温または降温した後、吹出口８０５ａから排出される。
【０００５】
室外機８００の設置作業をする際には、設置作業者が容易に室外機８００を移動できるように、把手８０１、８０２が室外機８００の両側面の対称となる上部中央近傍に設けられていた。特に、左側面パネル８０３に設けられた把手８０１は、吸込口８０４の上部の開口部に、熱交換器側に突出させた別部品を嵌合して、手を掛けられるようにしていた。（例えば、特許文献１参照）
【０００６】
しかし、近年は、材料費を抑えるため室外機に使われている板金の量を減らしており、側面パネルの幅も狭くなってきており、左側面パネルではなく支柱だけのものも現われ、把手を設けるだけの横幅がとれなくなっている。
【０００７】
これを解決する方法として、従来例２では、図９に示すように、把手９０１を熱交換器９０４のＬ字形の湾曲部９０４ａと室外機９００の筺体の角隅部の間に形成された隙間内に位置するように、側面９０２から背面９０３にまたがって形成する。手掛け用の開口９０１ａも側面９０２から背面９０３にまたがって三角状に開口する。これにより、把手９０１の側面９０２側の幅が狭くなることで、左側面パネルの幅を狭くしても、熱交換器９０４に干渉することなく把手９０１を設けることができる。（例えば、特許文献２参照）
【先行技術文献】
【特許文献】
【０００８】
【特許文献１】登録意匠第１０８５３３０号公報
【特許文献２】特開平７−９１６８８号公報
【発明の概要】
【発明が解決しようとする課題】
【０００９】
しかし、従来技術２では、把手９０１が角隅部に設けられることで、開口９０１ａが三角状のため中央部は手指が掛っても両端は手指を掛ける面積が少ない。また、手指の両端を抑える部分もない。さらに、手指と手のひらで角部９０５を握ることとなるため、持ちにくいものとなる。
また、把手９０１がある左側面とは反対側の右側面にある把手が従来例１のように右側面の上部中央近傍に設けられた場合、作業者は室外機９００の前面に立ち、室外機９００を持とうとすると、把手９０１を持つ手は背面側から前面側に向けて斜めに差し込み、もう一方の把手を持つ手は体と平行に右側面側から左側面側に差し込まれることで、室外機９００を支える腕が体と平行にならずバランスが悪くなり、重量のある室外機を持ち上げるのは困難となる。
【００１０】
そこで、本発明は、筺体の角隅部の支柱に設けた把手でも、手指をかけ易く、作業者がバランス良く容易に室外機を移動できる室外機を提供することを目的とする。
【課題を解決するための手段】
【００１１】
上記目的を達成するために、本発明は、ベースと天板と、前面と一側面を覆うパネルとから構成された筺体内の前記ベース上に、同筺体の背面から他側面に対向するようにＬ字形の熱交換器を配置し、背面から他側面にかけた角隅部に前記ベースと前記天板を連結し、上部に把手部を一体形成した支柱を設け、前記把手部は、前記支柱から前記筺体の他側面側へ突出して形成した手掛面と、前記手掛面の前面側から下方に延出して形成した第一ガイドリブと、前記手掛面の背面側から下方に延出して形成した第二ガイドリブとを備え、前記第二ガイドリブは、前記支柱の背面側から突出して形成される背面突出部となる。
【００１２】
また、前記把手部は、前記手掛面の下方で前記第一ガイドリブおよび前記第二ガイドリブの内側が、前記支柱の他側面側の表面よりも本体側に向けた凹部に形成されている。
【００１３】
また、前記筺体は、前記支柱の内側に前記支柱を補強する補強板を備えている。
【００１４】
また、前記筺体の一側面側に一側面から突出して形成した把手を備えている。
【発明の効果】
【００１５】
本発明の空気調和機の室外機は、筺体の角隅部の支柱に設けた把手でも、手指をかけ易く、作業者がバランス良く容易に室外機を移動できるようにした。
【図面の簡単な説明】
【００１６】
【図１】本発明における空気調和機の室外機の正面側斜視図である。
【図２】本発明における空気調和機の室外機の背面側斜視図である。
【図３】本発明における空気調和機の室外機の背面側分解図である。
【図４】本発明における空気調和機の室外機の把手を示す部分上面図である。
【図５】本発明における空気調和機の室外機の把手を示す部分側面図である。
【図６】本発明における空気調和機の室外機の把手を示す下方から見た斜視図である。
【図７】図５に示すＡ−Ａ断面図である。
【図８】従来例１における室外機を示す平面図と正面図と左側面図である。
【図９】従来例２における室外機の把手を示す図である。
【発明を実施するための形態】
【００１７】
本発明に係わる空気調和機の室外機１００は屋外に設置され、空調室内に設置される室内機と冷媒配管を介して接続されて冷凍サイクルを構成している。
以下に、本発明の実施の形態における空気調和機の室外機について、図１ないし図３を基に実施例として説明する。
【実施例１】
【００１８】
室外機１００は略直方体に形成された筺体を有し、その筺体内部は、ベース３４０上に立設した図示しない仕切板によって左右に仕切られ、右側が機械室、左側が熱交換室に区画されている。機械室には、圧縮機や四方弁、電装品箱等が収容され、熱交換室には、室外機１００の背面から左側面に対向するようにＬ字形の熱交換器２０１と、同熱交換器２０１の前面側に送風機とモータが配置されている。
【００１９】
なお、以下の説明では、室外機１００の筺体において、機械室が配置されている側の側面を右側面、熱交換室が配置されている側の側面を左側面として説明を進めるが、右側面と左側面が入れ替わっても良い。
【００２０】
室外機１００の筺体外部は、板金で形成された前述したベース３４０と、天面側の天板３２０と、送風機に対向した面に吹出口４０１を有し、左側面の一部に回り込んだ前面パネル３５０と、右側面側と背面の一部に回り込んだ右側面パネル３１０と、ベース３４０の下面に設けられた脚３６０ａ、３６０ｂとで構成されている。
この右側面パネル３１０は、中央に配管カバー３１２を備えている。この配管カバー３１２の上部には、室外機１００を持ち運ぶ際に用いる把手３１１が突出して形成されている。なお、本実施例では、把手３１１と配管カバー３１２が一体となっているが、これに限定したものではなく、別体であっても良い。
【００２１】
室外機１００の背面から左側面に掛けた角隅部には、ベース３４０と天板３２０を連結する支柱３３０が設けられている。この支柱３３０の背面側端３３０ｉと右側面パネル３１０の背面側端３１０ａの間に熱交換器２０１を露出させて背面側吸込口４０２を形成し、支柱３３０の左側面側端３３０ｈと前面パネル３５０の左側面側端３５０ａの間に熱交換器２０１を露出させて左側面側吸込口４０３を形成する。
【００２２】
熱交換室内にある送風機がモータによって駆動されると、外気が背面側吸込口４０２と左側面側吸込口４０３から吸い込まれ、熱交換器２０１で冷媒と熱交換して昇温または降温した後、吹出口４０１から外部に排出される。
【００２３】
支柱３３０は樹脂で成形された断面がＬ字状の柱であり、ベース３４０と天板３２０の角部を補強し、筺体の変形を防いでいる。支柱３３０は、筺体の強度をさらに上げるために筺体の前面側に延出した延出部３３０ｆを設け、延出部３３０ｆには吸込用開口部３３０ｄを備えている。支柱３３０の上部には天板３２０の下に重り合う上部固定部３３０ｅを設けている。この上部固定部３３０ｅは天板３２０と重り合うように天板３２０に合わせた丸みのある形状となっており、組立てる際にネジが通過できるように切込部３３０ｇがある。また、支柱３３０の左側面の裏面の上方と下方には後述する補強板３３１と係止するための係止爪３３０ａ１、３３０ａ２を備え、さらに支柱３３０の左側面の中央には補強板３３１と螺着するためのネジ孔３３０ｃを設け、下端にはベース３４０と螺着するためのネジ孔３３０ｂを設けている。
【００２４】
支柱３３０を補強するための補強板３３１が、支柱３３０の左側面の内側に設けられている。補強板３３１は、板金を断面がコ字状になるように折り曲げた柱であり、コ字の底面３３１ｅが支柱３３０と向かい合い、底面３３１ｅに支柱３３０の係止爪３３０ａ１と３３０ａ２と係止するための係止孔３３１ａ１と３３１ａ２を設け、支柱３３０のネジ孔３３０ｃと螺着されるためのネジ孔３３１ｄを設けている。補強板３３１は、天板３２０のネジ孔３２０ａと螺着するためのネジ孔３３１ｃを上端に設け、ベース３４０のネジ孔３４０ａと螺着するためのネジ孔３３１ｂを下端に設けている。
【００２５】
支柱３３０と補強板３３１は、支柱３３０の係止爪３３０ａ１と３３０ａ２を補強板３３１の係止孔３３１ａ１と３３１ａ２にそれぞれ係止し、支柱３３０のネジ孔３３０ｃと補強板３３１のネジ孔３３１ｄにネジを挿入して螺着して、組み合わされる。
【００２６】
組み合わされた支柱３３０と補強板３３１は、支柱３３０のネジ孔３３０ｂと補強板３３１のネジ孔３３１ｂとベース３４０のネジ孔３４０ａを介して、ベース３４０に螺着される。さらに、支柱３３０の上部固定部３３０ｅと補強板３３１の上端に天板３２０をかぶせ、上部固定部３３０ｅの切込部３３０ｇをネジを通過させ、天板３２０にあるネジ孔３２０ａと補強板３３１にあるネジ孔３３１ｃとを螺着する。これにより、支柱３３０の上部固定部３３０ｅは、天板３２０と補強板３３１に挟まれた状態で固定される。以上の構成で、支柱３３０と補強板３３１の両方で天板３２０を支えることができる。
【００２７】
支柱３３０は、室外機１００を持ち運ぶ際に用いる把手部５００（以下把手とする）を、上部固定部３３０ｅと吸込用開口部３３０ｄとの間に、背面と左側面に跨って一体形成して備えている。
【００２８】
把手５００は、図４ないし図７に示すように、支柱３３０の左側面から突出した突出部５１０と、手指を掛けるための手掛面５２０と、手指が横に外れないようにするための前面側の第一ガイドリブ５３０、背面側の第二ガイドリブ５４０と、手指が奥まで入るようにするための凹部５５０で構成されている。把手５００は、手掛面５２０に掛けた手指が誤って外れた時、手指が熱交換器２０１に触れないように、第一ガイドリブ５３０の側端５３０ａが支柱３３０の左側面側端３３０ｈから約指１本分離間した位置に設けられている。
【００２９】
突出部５１０は支柱３３０の左側面から突出して形成され、突出した先端には平面形状の突出面５１２と、上部には突出面５１２から本体側に向かって斜め上に傾斜した傾斜面５１１とを備えている。把手５００を握る時は、把手５００の手掛面５２０に指掛け、親指が傾斜面５１１を押え、手のひらが突出面５１２を抑えることで、把手５００を握り易くしている。
【００３０】
手掛面５２０は、突出部５１０の下面側で平面となっており、親指を除いた４本の指で指掛けし易いように、横幅の寸法を確保している。このため、後述する第二ガイドリブ５４０が支柱３３０の背面側から突出した形状となっている。
【００３１】
第一ガイドリブ５３０と第二ガイドリブ５４０は、手掛面５２０にかかっている手指が横に動いた場合、第一ガイドリブ５３０または第二ガイドリブ５４０に手指が当たることで、手指が手掛面５２０内に収まるようにガイドしている。
【００３２】
第一ガイドリブ５３０と第二ガイドリブ５４０は、突出面５１２の前面側と背面側の両側から厚みｔ１、ｔ２を持って本体下方に延出し、支柱３３０上に頂点を有する略三角形状に形成されている。
【００３３】
第二ガイドリブ５４０は厚みｔ２分を支柱３３０の背面側から突出して形成され、背面側突出部５４１となる。背面側突出部５４１は、左側面側の突出面５１２となだらかにつながっている。背面側突出部５４１が支柱３３０のリブの役割も果たし、支柱３３０と把手５００の強度を上げている。
【００３４】
凹部５５０は、手掛面５２０の下方で第一ガイドリブ５３０と第二ガイドリブ５４０の内側が支柱３３０の表面よりも本体側に向けて凹状に形成されている。また、凹部５５０の下端５５０ａは吸込用開口部３３０ｄの上端３３０ｄａから約指１本分離間した位置に設けられている。この凹部５５０により、手掛面５２０に手指をかける時、手指が凹部５５０と接触するまで入れることで、手掛面５２０の奥まで手指をかけることができ、吸込用開口部３３０ｄから離間していることで、手指が熱交換器２０１に触れないようになっている。
【００３５】
以上の構成により、室外機１００を移動する時に作業者は前面に立ち室外機１００を持とうとすると、左手を支柱３３０の左側面から突出した把手５００の突出部５１０の手掛面５２０に指を掛け、凹部５５０の奥まで指を入れ、親指で突出部５１０の傾斜面５１１を押え、手のひらで突出部５１０の突出面５１２を握ることで安定した握りができる。
また、第一ガイドリブ５３０と第二ガイドリブ５４０で手掛面５２０の前面側、背面側が抑えられることで熱交換器２０１に手を触れることがなく、第二ガイドリブ５４０が支柱３３０の背面側から突出していることで、持ち上げた時に支柱３３０と把手５００がリブの効果で補強される。
右手も右側面パネル３１０から突出した把手３１１を安定して握ることができる。
これにより、室外機１００を支える腕が体と平行になり、両手と両腕を内側に向かって支えるように力を掛けることができ、室外機１００をしっかり挟んで挟持することができ、１人でもバランス良く容易に持ち上げ移動することができる。
【符号の説明】
【００３６】
１００    室外機
２０１    熱交換器
３１０    右側面パネル
３２０    天板
３３０    支柱
３３１    補強板
３４０    ベース
４０１    吹出口
４０２    背面側吸込口
４０３    左側面側吸込口
５００    把手
５１０    突出部
５２０    手掛面
５３０    第一ガイドリブ
５４０    第二ガイドリブ
５５０    凹部
８００    室外機
８０１    把手
８０２    把手
９００    室外機
９０１    把手
９０４    熱交換器
９０５    角部
【図１】
0006031775.tif 000002
【図２】
0006031775.tif 000003
【図３】
0006031775.tif 000004
【図４】
0006031775.tif 000005
【図５】
0006031775.tif 000006
【図６】
0006031775.tif 000007
【図７】
0006031775.tif 000008
【図８】
0006031775.tif 000009
【図９】
0006031775.tif 000010